(57)【要約】【課題】石等の異物の噛み込みを防止できる畦塗り機を提供する。【解決手段】畦塗り機１は、土を盛り上げる盛土体と、この盛土体による盛土を締め固めて畦を形成する畦形成体４とを備える。畦塗り機１は、盛土体を覆う盛土体カバー６を備える。盛土体カバー６は、後カバー部42を有する。後カバー部42は、この後カバー部42と盛土体との間に異物が噛み込まないように動く。【選択図】図１
2015092854.tif 000002
【特許請求の範囲】
【請求項１】
土を盛り上げる盛土体と、
この盛土体による盛土を締め固めて畦を形成する畦形成体と、
前記盛土体を覆う盛土体カバーとを備え、
前記盛土体カバーは、後カバー部を有し、
前記後カバー部は、この後カバー部と前記盛土体との間に異物が噛み込まないように動く
ことを特徴とする畦塗り機。
【請求項２】
後カバー部は、盛土体の後方部を覆う通常位置と、異物を逃がす異物逃がし位置とに位置変更可能となっている
ことを特徴とする請求項１記載の畦塗り機。
【請求項３】
後カバー部を通常位置に向けて付勢する付勢手段を備える
ことを特徴とする請求項２記載の畦塗り機。
【請求項４】
付勢手段は、後カバー部の後方に配設されている
ことを特徴とする請求項３記載の畦塗り機。
【請求項５】
後カバー部は、盛土体カバーのカバー本体部に前後方向に回動可能に設けられている
ことを特徴とする請求項１ないし４のいずれか一記載の畦塗り機。
【発明の詳細な説明】
【技術分野】
【０００１】
本発明は、異物の噛み込みを防止できる畦塗り機に関するものである。
【背景技術】
【０００２】
従来、例えば特許文献１に記載された畦塗り機が知られている。
【０００３】
この従来の畦塗り機は、例えばトラクタ等の走行車の後部に連結される機体と、この機体に回転可能に設けられ土を盛り上げる盛土体と、この盛土体による盛土を締め固めて畦を形成する畦形成体と、盛土体を覆う盛土体カバーとを備え、この盛土体カバーは、盛土体の後方部を覆う後カバー部を有している。
【先行技術文献】
【特許文献】
【０００４】
【特許文献１】特開２０１１−１９４９０号公報
【発明の概要】
【発明が解決しようとする課題】
【０００５】
しかしながら、上記従来の畦塗り機では、例えば石等の異物が盛土体カバーの後カバー部と盛土体との間に噛み込んでしまうおそれがある。
【０００６】
本発明は、このような点に鑑みなされたもので、異物の噛み込みを防止できる畦塗り機を提供することを目的とする。
【課題を解決するための手段】
【０００７】
請求項１記載の畦塗り機は、土を盛り上げる盛土体と、この盛土体による盛土を締め固めて畦を形成する畦形成体と、前記盛土体を覆う盛土体カバーとを備え、前記盛土体カバーは、後カバー部を有し、前記後カバー部は、この後カバー部と前記盛土体との間に異物が噛み込まないように動くものである。
【０００８】
請求項２記載の畦塗り機は、請求項１記載の畦塗り機において、後カバー部は、盛土体の後方部を覆う通常位置と、異物を逃がす異物逃がし位置とに位置変更可能となっているものである。
【０００９】
請求項３記載の畦塗り機は、請求項２記載の畦塗り機において、後カバー部を通常位置に向けて付勢する付勢手段を備えるものである。
【００１０】
請求項４記載の畦塗り機は、請求項３記載の畦塗り機において、付勢手段は、後カバー部の後方に配設されているものである。
【００１１】
請求項５記載の畦塗り機は、請求項１ないし４のいずれか一記載の畦塗り機において、後カバー部は、盛土体カバーのカバー本体部に前後方向に回動可能に設けられているものである。
【発明の効果】
【００１２】
本発明によれば、盛土体カバーの後カバー部は、この後カバー部と盛土体との間に異物が噛み込まないように動くため、異物の噛み込みを防止できる。
【図面の簡単な説明】
【００１３】
【図１】本発明の第１の実施の形態に係る畦塗り機の平面図である。
【図２】同上畦塗り機の非作業状態時の平面図である。
【図３】同上畦塗り機の側面図である。
【図４】同上畦塗り機の部分側面図である。
【図５】同上畦塗り機の部分側面図である。
【図６】同上畦塗り機の部分斜視図である。
【図７】本発明の第２の実施の形態に係る畦塗り機の部分側面図である。
【図８】本発明の第３の実施の形態に係る畦塗り機の部分側面図である。
【図９】本発明の第４の実施の形態に係る畦塗り機の部分側面図である。
【発明を実施するための形態】
【００１４】
本発明の第１の実施の形態について図１ないし図６を参照して説明する。
【００１５】
図中の１は畦塗り機で、この畦塗り機１は、例えば走行車であるトラクタ（図示せず）の後部に連結され、トラクタの前進走行により前方（進行方向）に移動しながら畦塗り作業をするものである。
【００１６】
畦塗り機１は、図１ないし図３に示されるように、トラクタの後部の３点リンク部（作業機昇降装置）に脱着可能に連結される機体２と、この機体２に回転可能に設けられ所定方向に回転しながら田面および畦（元畦）の土を耕耘して盛り上げる前処理体である盛土体（ロータリー部）３と、機体２に回転可能に設けられ盛土体３の後方で所定方向に回転しながら盛土体３による盛土を締め固めて畦（新畦）を形成する畦形成体（ディスク部）４とを備えている。なお、畦形成体４の周速（回転速度）は、この畦形成体４が畦に対してスリップ状態で回転するように、トラクタの走行速度よりも速い。
【００１７】
また、畦塗り機１は、機体２に設けられ盛土体３を覆う盛土体カバー６と、機体２に設けられ畦形成体４を覆う畦形成体カバー７とを備えている。
【００１８】
機体２は、トラクタの後部の３点リンク部に脱着可能に連結される連結機枠11を有している。連結機枠11は、軸保持部12を有し、この軸保持部12にて前後方向の入力軸13が回転可能に保持されている。なお、入力軸13は、トラクタのＰＴＯ軸にジョイントを介して接続される。
【００１９】
連結機枠11には、互いに平行に位置する左右１対の回動アーム（平行リンク）14の前端部が回動可能に取り付けられている。両回動アーム14の後端部は、伝動ケース（ミッションケースおよびチェーンケース等）を兼ねた可動機枠15に回動可能に取り付けられている。
【００２０】
連結機枠11と可動機枠15との間には、可動機枠15を連結機枠11に対して左右方向に移動させる伸縮可能な駆動手段であるシリンダ16が架設されている。そして、シリンダ16の伸び動作により可動機枠15が作業位置に移動して畦塗り機１が作業状態となり（図１参照）、シリンダ16の縮み動作により可動機枠15が非作業位置に移動して畦塗り機１が非作業状態となる（図２参照）。
【００２１】
可動機枠15は、軸保持部17を有し、この軸保持部17にて前後方向の中間入力軸18が回転可能に保持され、この中間入力軸18と入力軸13とがジョイント19を介して接続されている。また、可動機枠15は、盛土体３を回転可能に保持する盛土体保持部21と、畦形成体４を回転可能に保持する畦形成体保持部22とを有している。さらに、可動機枠15には、圃場を走行するゲージ輪23が設けられている。
【００２２】
盛土体３は、機体２の可動機枠15の盛土体保持部21にて回転可能に保持された水平な左右方向の回転軸（耕耘軸）26を有している。回転軸26の爪ホルダー部26aには、回転軸26とともに所定方向に回転しながら田面および畦の土を耕耘して畦上に盛り上げる複数の盛土爪（耕耘爪）27が取り付けられている。
【００２３】
畦形成体４は、機体２の可動機枠15の畦形成体保持部22にて回転可能に保持された水平な左右方向の回転軸28を有し、この回転軸28には畦形成部材29が設けられている。
【００２４】
畦形成部材29は、回転軸28とともに所定方向に回転しながら盛土体３による盛土を締め固めて田面側に向かって下り傾斜する傾斜状の畦側面を形成する截頭円錐状の畦側面形成部31と、回転軸28とともに所定方向に回転しながら盛土体３による盛土を締め固めて水平状の畦上面を形成する円筒状の畦上面形成部32とを有している。なお、畦側面形成部31は、例えば回転方向に並ぶ複数枚の畦形成板33にて構成されている。
【００２５】
盛土体カバー６は、図４ないし図６にも示されるように、盛土体３の盛土爪27にて放てきされる土（盛土）を案内して後部右側（盛土体カバー６の後部における畦側である外側）の排出口40から畦形成体４側に向けて排出するとともに、盛土体３の盛土爪27にて放てきされる土の飛散を防止するものである。
【００２６】
この盛土体カバー６は、盛土体３の上方部および左右の側方部を覆う板状のカバー本体部41と、盛土体３の反畦側である左側（盛土体保持部21側である内側）の後方部を覆う板状の後カバー部42とを有している。
【００２７】
そして、後カバー部42は、盛土体３の左側の後方部を覆う通常位置と、後カバー部42の前面と盛土体３の盛土爪27の先端側との間に石等の異物Ａが噛み込まないようにその異物Ａを後方へ逃がす異物逃がし位置とに位置変更可能となっている。
【００２８】
すなわち例えば１つの後カバー部42は、カバー本体部41の後部左側（後部内側）に水平な左右方向の回動中心軸線（回動支点）Ｘを中心として下端側が昇降するように前後方向に回動可能に設けられており、この後カバー部42は、通常位置（閉位置）とこの通常位置よりも後方の異物逃がし位置（開位置）との間で、カバー本体部41に対して回動可能となっている。
【００２９】
また、後カバー部42は、付勢手段43によって通常位置に向けて常に付勢（加圧）されており、このため、後カバー部42は、付勢手段43の付勢力によって通常位置へ復帰回動する。そして、付勢手段43は、例えば伸縮可能な１本のガススプリング44にて構成されており、このガススプリング44は後カバー部42の後方に配設されている。
【００３０】
ここで、カバー本体部41は、互いに離間対向する左右１対の対向側板46，47を有し、左側（内側）の対向側板46が右側（外側）の対向側板47よりも大きく形成されている。また、両対向側板46，47の上端部同士が、平面視矩形状の上板48にて連結されている。なお、カバー本体部41の後部右側には、後方に向かって開口する土排出用後開口部である排出口40が開口形成されている。
【００３１】
そして、カバー本体部41の後部左側には、取付手段50を介して、後カバー部42が回動中心軸線Ｘを中心として前後方向に回動可能に取り付けられている。
【００３２】
取付手段50は、複数のボルト51によってカバー本体部41の上板48に脱着可能に取り付けられた左右方向長手状の取付板52を有している。取付板52は、傾斜板部53および鉛直板部54にて構成され、傾斜板部53が上板48に取り付けられ、鉛直板部54が左右方向長手状のフレームパイプである筒状部材55の前面に固着されている。
【００３３】
筒状部材55の左右方向両端部には、対をなす略三角形状の支持板56が筒状部材55の下面よりも下方に位置するようにそれぞれ固設されている。各支持板56には、孔部57が形成されている。また、筒状部材55の左右方向中央部の後面には、前後方向長手状の取付アーム58の前端部が固着されている。取付アーム58は、例えば側面視で上方に向かって凸の略円弧状に形成されている。
【００３４】
後カバー部42は、盛土体３の左側の後方部を覆う矩形状のカバー板61を有している。このカバー板61は、後カバー部42が通常位置に位置した状態では鉛直面に沿って位置するが、異物Ａを逃がすために後カバー部42が後方へ動いて異物逃がし位置に位置した状態では鉛直方向に対して傾斜した前高後低の傾斜面に沿って位置する。
【００３５】
カバー板61の右端部である外側端部には、外側側板（右側板）62がカバー板61に対して直交状に固着され、また、カバー板61の左端部である内側端部には、内側側板（左側板）63がカバー板61に対して直交状に固着されている。
【００３６】
なお、内側側板63は、カバー本体部41の左側の対向側板46の内側方近傍に位置し、側面視で内側側板63と左側の対向側板46とが互いに部分的に重なるようになっている。例えば後カバー部42が異物逃がし位置へ回動しても、側面視で内側側板63の前端部と左側の対向側板46の後端部とが互いに重なっている（図５参照）。
【００３７】
外側側板62は、例えば上端から下端に向かって徐々に幅が増大する略三角形状に形成されている。そして、外側側板62の前端部内面がカバー板61の外側端部に固着されており、外側側板62の略全体がカバー板61よりも後方に突出している。また、外側側板62の上端部には孔部64が形成されている。そして、外側側板62の孔部64および対応する外側の支持板56の孔部57に支持ボルト65が挿通され、この支持ボルト65の軸部にナット66が螺合されている。
【００３８】
内側側板63は、例えば上下端から上下方向中央側に向かって徐々に幅が増大する略三角形状に形成されている。そして、内側側板63の前後方向中央部内面がカバー板61の内側端部に固着されており、内側側板63の後側略半部がカバー板61よりも後方に突出している。また、内側側板63の上端部には孔部67が形成されている。そして、内側側板63の孔部67および対応する内側の支持板56の孔部57に支持ボルト68が挿通され、この支持ボルト68の軸部が可動機枠15の盛土体保持部21のチェーンケースのねじ孔部（図示せず）に螺合されている。なお、例えば外側側板62と同様、支持ボルト68の軸部にナットを螺合するようにしてもよい。
【００３９】
こうして、後カバー部42は、２本の支持ボルト65，68によって回動中心軸線Ｘを中心として回動可能に支持されている。回動中心軸線Ｘは、支持ボルト65，68の軸部の軸芯を通る線である。なお、例えば可動機枠15に取り付けられた支持棒のみで、後カバー部42を回動可能に支持するようにしてもよい。
【００４０】
また、カバー板61の下端部後面には、左右方向長手状で山型状の取付部材71が固着されている。取付部材71の左右方向中央部には、略三角形状の突出板72が上方に向かって突出するように固着されている。そして、突出板72と取付アーム58の後端部との間に、伸縮可能な棒状の付勢手段43であるガススプリング44が架設されている。
【００４１】
ガススプリング44は、筒状部73と、この筒状部73内に出入りするロッド部74とを有している。筒状部73の下端部が突出板72に左右方向のピン75を介して回動可能に取り付けられ、ロッド部74の上端部が取付アーム58の後端部に左右方向のピン76を介して回動可能に取り付けられている。そして、ガススプリング44が最も伸びた状態時に、後カバー部42が通常位置に位置し、ガススプリング44の縮み動作によって後カバー部42が後方へ回動して異物逃がし位置に位置する。
【００４２】
次に、畦塗り機１の作用等を説明する。
【００４３】
畦塗り機１をトラクタの後部に連結した状態でトラクタの走行により畦塗り機１を進行方向へ移動させると、盛土体３が所定方向へ回転しながら田面および元畦の土を耕耘してその耕耘土を元畦上に盛り上げ、その後方で畦形成体４が所定方向に回転しながら盛土を締め固めて新畦を形成する。
【００４４】
こうして畦塗り作業が行われるが、この畦塗り作業の際に、例えば田面や元畦の土中に存在していた石等の異物Ａが、回転する盛土爪27によって跳ね上げられて、通常位置の後カバー部42と盛土体３の盛土爪27との間の隙間に入り込んだ場合には、後カバー部42は、図５に示すように、異物Ａの押圧によりガススプリング44の付勢力に抗して、通常位置から異物逃がし位置へと回動中心軸線Ｘを中心として後方へ回動する。つまり、後カバー部42は、盛土体３の回転軸（耕耘軸）26から離れる方向に回動し、この回動により後カバー部42と盛土爪27との間の隙間が拡大する。
【００４５】
その結果、石等の異物Ａは、後カバー部42と盛土爪27との間の隙間に噛み込まず、後カバー部42の後方へ排出される。つまり、石等の異物Ａを逃がすことが可能であり、後カバー部42と盛土爪27との間の隙間に異物Ａが挟まって、盛土体３の回転軸26が回転停止してしまうことがない。
【００４６】
また、石等の異物Ａが後カバー部42から離れると、その後カバー部42は、付勢手段43であるガススプリング44の付勢力によって異物逃がし位置から通常位置へと回動中心軸線Ｘを中心として前方へ回動して、元の状態に復帰する。
【００４７】
そして、この畦塗り機１によれば、盛土体カバー６の後カバー部42は、この後カバー部42と盛土体３との間に異物Ａが噛み込まないように、ガススプリング44の付勢力に抗して通常位置から異物逃がし位置へ後方に向かって回動して動くため、後カバー部42と盛土体３との間への異物Ａの噛み込み（挟み込み）を防止できる。よって、例えば異物Ａの噛み込みに基づく盛土体カバー６の損傷や動力伝達部品の破損等を防止できる。
【００４８】
また、盛土体カバー６の後カバー部42が通常位置と異物逃がし位置との間で回動可能（位置変更可能）で、この後カバー部42を通常位置に向けて付勢する付勢手段43を備えるため、この付勢手段43によって後カバー部42を通常位置に適切に戻すことができ、また後カバー部42が不用意にバタバタ動くのを防止できる。
【００４９】
さらに、付勢手段43がガススプリング44であるから、付勢手段43の取付やメンテナンス等も容易である。
【００５０】
なお、上記第１の実施の形態では、付勢手段43がガススプリング44である場合について説明したが、例えば図７に示す第２の実施の形態のように、付勢手段43が弾性体であるコイルバネ81を有する構成でもよい。
【００５１】
つまり、この第２の実施の形態に係る畦塗り機１の付勢手段43は、突出板72と取付アーム58の後端部との間に架設された伸縮部材80と、この伸縮部材80のロッド部80aの外周側に配設されたコイルバネ81とを有している。なお、伸縮部材80の筒状部80bの下端部が突出板72に左右方向のピン75を介して回動可能に取り付けられ、ロッド部80aの上端部が取付アーム58の後端部に左右方向のピン76を介して回動可能に取り付けられている。
【００５２】
また、付勢手段43は、例えば図８に示す第３の実施の形態のように、伸縮可能なゴムダンパー82でもよく、このゴムダンパー82は、例えば後カバー部42のカバー板61の後面に取り付けられている。そして、ゴムダンパー82の先端部が取付アーム58の後端部に当接している。
【００５３】
さらに、付勢手段43は、例えば図９に示す第４の実施の形態のように、重り83でもよく、この重り83は、例えば後カバー部42のカバー板61の後面に取り付けられている。
【００５４】
なお、いずれの実施の形態においても、盛土体カバー６が有する後カバー部42の数は任意であり、例えば左右方向に互いに隣接して並ぶ２つ以上でもよい。
【００５５】
また、後カバー部42は、この後カバー部42と盛土体３との間に異物Ａが噛み込まないように後方へ回動（回転移動）して動く構成には限定されず、例えば後方へ平行移動して動く構成や、例えば少なくとも一部が後方へ弾性変形して動く構成等でもよい。なお、後カバー部42は、金属製には限らず、弾性変形可能なゴム製や樹脂製等でもよい。
【００５６】
さらに、付勢手段（加圧手段）43は、例えば複数本のガススプリング44からなるもの等でもよく、またその付勢力が調整可能なもの等でもよい。
【００５７】
なお、本発明の要旨を逸脱しない範囲で、前記各実施の形態および前記各変形例の構成を適宜組み合わせることも可能である。
【符号の説明】
【００５８】
１    畦塗り機
３    盛土体
４    畦形成体
６    盛土体カバー
41    カバー本体部
42    後カバー部
43    付勢手段
Ａ    異物
【図１】
2015092854.tif 000003
【図２】
2015092854.tif 000004
【図３】
2015092854.tif 000005
【図４】
2015092854.tif 000006
【図５】
2015092854.tif 000007
【図６】
2015092854.tif 000008
【図７】
2015092854.tif 000009
【図８】
2015092854.tif 000010
【図９】
2015092854.tif 000011